(57)【要約】【課題】  画像データを検索する際のユーザにおける利便性の向上を図った画像データ処理端末及びその制御方法を提供する。【解決手段】  画像データ処理端末は、画像データが格納される、画像データ格納手段と、前記画像データ格納手段から前記画像データを検索して、前記画像データを取り込んで前記画像データ格納手段に格納した取り込み作業単位に基づいて、前記画像データを分類する、第１分類手段と、前記第１分類手段で分類された結果に基づいて、前記取り込み作業単位の一覧を表示画面に表示する、第１表示手段と、を備えている。【選択図】  図４
2006092160.tif 000002
【特許請求の範囲】
【請求項１】
画像データが格納される、画像データ格納手段と、
前記画像データ格納手段から前記画像データを検索して、前記画像データを取り込んで前記画像データ格納手段に格納した取り込み作業単位に基づいて、前記画像データを分類する、第１分類手段と、
前記第１分類手段で分類された結果に基づいて、前記取り込み作業単位の一覧を表示画面に表示する、第１表示手段と、
を備えることを特徴とする画像データ処理端末。
【請求項２】
前記第１表示手段が前記取り込み作業単位の一覧を表示する際には、該当する取り込み作業単位に対応して格納されている画像データの１つを表示する、ことを特徴とする請求項１に記載の画像データ処理端末。
【請求項３】
前記画像データ格納手段から前記画像データを検索して、前記画像データに関する日付情報単位に基づいて画像データを分類する、第２分類手段と、
前記第２分類手段で分類された結果に基づいて、前記日付情報単位の一覧を前記表示画面に表示する、第２表示手段と、
をさらに備えることを特徴とする請求項１又は請求項２に記載の画像データ処理端末。
【請求項４】
前記第１表示手段が前記日付情報単位の一覧を表示する際には、該当する日付情報単位に対応して格納されている画像データの１つを表示する、ことを特徴とする請求項３に記載の画像データ処理端末。
【請求項５】
前記日付情報単位は、前記画像データを前記画像データ格納手段に格納した日付単位である、ことを特徴とする請求項３又は請求項４に記載の画像データ処理端末。
【請求項６】
前記日付情報単位は、画像データ自体が生成された日付単位である、ことを特徴とする請求項３又は請求項４に記載の画像データ処理端末。
【請求項７】
前記第１分類手段により画像データを分類するか、又は、前記第２分類手段により画像データを分類するかをユーザに選択させる、表示選択手段を、さらに備えることを特徴とする請求項３乃至請求項６のいずれかに記載の画像データ処理端末。
【請求項８】
前記画像データ格納手段には、
前記日付情報単位で日付フォルダが生成され、
この日付フォルダの下に、その日付に取り込み作業を行った前記取り込み作業単位で取り込み単位フォルダが生成され、
この取り込み単位フォルダの下に、その取り込み作業で取り込まれた画像データが格納されている、
ことを特徴とする請求項３乃至請求項７のいずれかに記載の画像データ処理端末。
【請求項９】
画像データが格納される、画像データ格納手段と、
外部記憶装置から、この外部記憶装置に格納されている画像データを取り込む、取り込み手段と、
前記画像データを取り込んで前記画像データ格納手段に格納する際に、前記画像データを取り込んで前記画像データ格納手段に格納する取り込み作業単位で、前記画像データを分類した上で、前記画像データ格納手段に画像データを格納する、第１分類格納手段と、
を備えることを特徴とする画像データ処理端末。
【請求項１０】
前記画像データを取り込んで前記画像データ格納手段に格納する際に、前記画像データに関する日付情報単位で、前記画像データを分類した上で、前記画像データ格納手段に画像データを格納する、第２分類格納手段を、さらに備えることを特徴とする請求項９に記載の画像データ処理端末。
【請求項１１】
画像データが格納される、画像データ格納手段を有する画像データ処理端末の制御方法であって、
前記画像データ格納手段から前記画像データを検索して、前記画像データを取り込んで前記画像データ格納手段に格納した取り込み作業単位に基づいて、前記画像データを分類するステップと、
前記分類された結果に基づいて、前記取り込み作業単位の一覧を表示画面に表示するステップと、
を備えることを特徴とする画像データ処理端末の制御方法。
【請求項１２】
画像データが格納される、画像データ格納手段を有する画像データ処理端末の制御方法であって、
外部記憶装置から、この外部記憶装置に格納されている画像データを取り込むステップと、
前記画像データを取り込んで前記画像データ格納手段に格納する際に、前記画像データを取り込んで前記画像データ格納手段に格納する取り込み作業単位で、前記画像データを分類した上で、前記画像データ格納手段に画像データを格納するステップと、
を備えることを特徴とする画像データ処理端末の制御方法。
【請求項１３】
画像データが格納される、画像データ格納手段を有する画像データ処理端末を制御するためのプログラムであって、
前記画像データ格納手段から前記画像データを検索して、前記画像データを取り込んで前記画像データ格納手段に格納した取り込み作業単位に基づいて、前記画像データを分類するステップと、
前記分類された結果に基づいて、前記取り込み作業単位の一覧を表示画面に表示するステップと、
を画像データ処理端末に実行させるためのプログラム。
【請求項１４】
画像データが格納される、画像データ格納手段を有する画像データ処理端末を制御するためのプログラムであって、
外部記憶装置から、この外部記憶装置に格納されている画像データを取り込むステップと、
前記画像データを取り込んで前記画像データ格納手段に格納する際に、前記画像データを取り込んで前記画像データ格納手段に格納する取り込み作業単位で、前記画像データを分類した上で、前記画像データ格納手段に画像データを格納するステップと、
を画像データ処理端末に実行させるためのプログラム。
【発明の詳細な説明】
【技術分野】
【０００１】
本発明は、画像データ処理端末及びその制御方法に関し、特に、画像データを検索する際のユーザにおける利便性の向上を図った画像データ処理端末及びその制御方法に関する。
【背景技術】
【０００２】
デジタルカメラの普及により、個人のユーザが、デジタルカメラで撮影を行い、デジタルデータとして画像データを生成する機会が多くなってきている。しかし、デジタルカメラに格納できる画像データの量には限りがあることから、このデジタルカメラに保持されている画像データを、メモリカードを用いたり、或いは、ＵＳＢケーブルを用いたりして、パーソナルコンピュータやフォトビューア等の画像データ処理端末に取り込む必要がある。
【０００３】
画像データ処理端末に画像データを取り込む際には、特開２００２−１５８９４７号公報（特許文献１）に開示されているように、これまでは、画像データを取り込み日付又は撮影日付単位である日付情報単位で日付フォルダが生成され、この日付フォルダの下に画像データが格納されていた。
【特許文献１】特開２００２−１５８９４７号公報
【発明の開示】
【発明が解決しようとする課題】
【０００４】
しかしながら、すべての画像データが日付情報単位の日付フォルダに格納されると、ユーザが画像データを検索する際にも、日付情報単位で画像データを見つけ出すしかなく、ユーザが目的としている画像データをなかなか探し出せないことがあった。
【０００５】
そこで本発明は、前記課題に鑑みてなされたものであり、画像データを検索する際のユーザにおける利便性の向上を図った画像データ処理端末及びその制御方法を提供することを目的とする。
【課題を解決するための手段】
【０００６】
上記課題を解決するため、本発明に係る画像データ処理端末は、
画像データが格納される、画像データ格納手段と、
前記画像データ格納手段から前記画像データを検索して、前記画像データを取り込んで前記画像データ格納手段に格納した取り込み作業単位に基づいて、前記画像データを分類する、第１分類手段と、
前記第１分類手段で分類された結果に基づいて、前記取り込み作業単位の一覧を表示画面に表示する、第１表示手段と、
を備えることを特徴とする。
【０００７】
この場合、前記第１表示手段が前記取り込み作業単位の一覧を表示する際には、該当する取り込み作業単位に対応して格納されている画像データの１つを表示するようにしてもよい。
【０００８】
また、前記画像データ格納手段から前記画像データを検索して、前記画像データに関する日付情報単位に基づいて画像データを分類する、第２分類手段と、
前記第２分類手段で分類された結果に基づいて、前記日付情報単位の一覧を前記表示画面に表示する、第２表示手段と、
をさらに備えるようにしてもよい。
【０００９】
この場合、前記第１表示手段が前記日付情報単位の一覧を表示する際には、該当する日付情報単位に対応して格納されている画像データの１つを表示するようにしてもよい。
【００１０】
また、前記日付情報単位は、前記画像データを前記画像データ格納手段に格納した日付単位であるようにしてもよいし、或いは、前記日付情報単位は、画像データ自体が生成された日付単位であるようにしてもよい。
【００１１】
また、前記第１分類手段により画像データを分類するか、又は、前記第２分類手段により画像データを分類するかをユーザに選択させる、表示選択手段を、さらに備えるようにしてもよい。
【００１２】
また、前記画像データ格納手段には、
前記日付情報単位で日付フォルダが生成され、
この日付フォルダの下に、その日付に取り込み作業を行った前記取り込み作業単位で取り込み単位フォルダが生成され、
この取り込み単位フォルダの下に、その取り込み作業で取り込まれた画像データが格納されているようにしてもよい。
【００１３】
本発明に係る画像データ処理端末は、
画像データが格納される、画像データ格納手段と、
外部記憶装置から、この外部記憶装置に格納されている画像データを取り込む、取り込み手段と、
前記画像データを取り込んで前記画像データ格納手段に格納する際に、前記画像データを取り込んで前記画像データ格納手段に格納する取り込み作業単位で、前記画像データを分類した上で、前記画像データ格納手段に画像データを格納する、第１分類格納手段と、
を備えることを特徴とする。
【００１４】
この場合、前記画像データを取り込んで前記画像データ格納手段に格納する際に、前記画像データに関する日付情報単位で、前記画像データを分類した上で、前記画像データ格納手段に画像データを格納する、第２分類格納手段を、さらに備えるようにしてもよい。
【００１５】
本発明に係る画像データ処理端末の制御方法は、
画像データが格納される、画像データ格納手段を有する画像データ処理端末の制御方法であって、
前記画像データ格納手段から前記画像データを検索して、前記画像データを取り込んで前記画像データ格納手段に格納した取り込み作業単位に基づいて、前記画像データを分類するステップと、
前記分類された結果に基づいて、前記取り込み作業単位の一覧を表示画面に表示するステップと、
を備えることを特徴とする。
【００１６】
本発明に係る画像データ処理端末の制御方法は、
画像データが格納される、画像データ格納手段を有する画像データ処理端末の制御方法であって、
外部記憶装置から、この外部記憶装置に格納されている画像データを取り込むステップと、
前記画像データを取り込んで前記画像データ格納手段に格納する際に、前記画像データを取り込んで前記画像データ格納手段に格納する取り込み作業単位で、前記画像データを分類した上で、前記画像データ格納手段に画像データを格納するステップと、
を備えることを特徴とする。
【００１７】
本発明に係るプログラムは、
画像データが格納される、画像データ格納手段を有する画像データ処理端末を制御するためのプログラムであって、
前記画像データ格納手段から前記画像データを検索して、前記画像データを取り込んで前記画像データ格納手段に格納した取り込み作業単位に基づいて、前記画像データを分類するステップと、
前記分類された結果に基づいて、前記取り込み作業単位の一覧を表示画面に表示するステップと、
を画像データ処理端末に実行させることを特徴とする。
【００１８】
本発明に係るプログラムは、
画像データが格納される、画像データ格納手段を有する画像データ処理端末を制御するためのプログラムであって、
外部記憶装置から、この外部記憶装置に格納されている画像データを取り込むステップと、
前記画像データを取り込んで前記画像データ格納手段に格納する際に、前記画像データを取り込んで前記画像データ格納手段に格納する取り込み作業単位で、前記画像データを分類した上で、前記画像データ格納手段に画像データを格納するステップと、
を画像データ処理端末に実行させることを特徴とする。
【発明を実施するための最良の形態】
【００１９】
本実施形態に係る画像データ処理端末は、メモリカードから取得した画像データを取り込んでハードディスクに格納する際に、画像データを取り込んだ日付単位で画像データを管理するとともに、画像データを取り込む作業を行った取り込み作業単位でも、画像データを管理するようにしたものである。より詳しくを、以下に説明する。
【００２０】
図１は、本実施形態に係る画像データ処理端末１０の内部構成を説明するためのブロック図である。この図１に示すように、本実施形態に係る画像データ処理端末１０は、ＣＰＵ（Central Processing Unit）２０と、ＲＡＭ（Random Access Memory）２２と、ハードディスク２４と、メモリカードインターフェース２６とを備えており、これらは互いに内部バス３０を介して、接続されている。また、ＣＰＵ２０の内部には、ＲＯＭ（Read Only Memory）４０が内蔵されている。
【００２１】
さらに、ＣＰＵ２０は、専用バス５０を介して、表示用コントローラ５２に接続されており、この表示用コントローラ５２はさらに表示画面５４に接続されている。すなわち、ＣＰＵ２０が、表示すべき画像データを、専用バス５０を介して、表示用コントローラ５２に送信すると、表示用コントローラ５２はその画像データに基づいて表示画面５４の制御を行い、表示画面５４に表示する。なお、本実施形態においては、この表示画面５４は、ＬＣＤにより構成されている。
【００２２】
また、本実施形態に係る画像データ処理端末１０は、ＣＰＵ２０に接続されたテレビ出力回路６０を備えている。このため、ユーザは、画像データ処理端末１０のコネクタ（図示省略）にテレビ画像出力ケーブルを接続すれば、ＣＰＵ２０が出力した画像を家庭用のテレビで見ることができるようになる。
【００２３】
また、この画像データ処理端末１０には、メモリカード７０が適宜、装着される。画像データ処理端末１０に装着されたメモリカード７０に格納されている画像データは、メモリカードインターフェース２６を介して、この画像データ処理端末１０が取り込むことが可能である。具体的には、メモリカード７０に格納されている画像データは、メモリカードインターフェース２６を介して、ＣＰＵ２０が取り込み、ハードディスク２４に格納される。
【００２４】
図２は、本実施形態に係る画像データ処理端末１０のハードディスク２４における画像データを格納する領域部分のフォルダ構成の一例を示す図である。この図２に示すように、本実施形態においては、日付フォルダの下に、取り込み単位フォルダが形成され、この取り込み単位フォルダの下に、実際の画像データが格納されている。
【００２５】
例えば、日付フォルダ「２００４０８０６」の下には、取り込み単位フォルダ「２００４０８０６．０００１」、「２００４０８０６．０００２」、「２００４０８０６．０００３」の３つのフォルダが形成されている。そして、例えば、取り込み単位フォルダ「２００４０８０６．０００１」の下に、画像データ「ＤＡＴＡ０００１．ＪＰＧ」、「ＤＡＴＡ０００２．ＪＰＧ」、「ＤＡＴＡ０００３．ＪＰＧ」…が格納されている。
【００２６】
図３は、本実施形態に係る画像データ処理端末１０が実行する画像格納処理を説明するフローチャートを示す図である。この画像格納処理は、ＲＯＭ４０に格納されている画像格納プログラムを、ＣＰＵ２０が読み込んで実行することにより、実現される処理である。また、この画像格納処理は、ユーザが、画像データ処理端末１０にメモリカード１０を装着して、この画像データ処理端末１０に取り込む画像データを指定した後に、起動される処理である。
【００２７】
図３に示すように、まず、画像データ処理端末１０は、システム日付を取得する（ステップＳ１０）。すなわち、この画像データ処理端末１０は、システム日付を管理する機能を有しているので、例えば、２００４年８月６日というシステム日付を取得する。
【００２８】
次に、画像データ処理端末１０は、ハードディスク２４を検索し、画像データを格納するフォルダとして、取得したシステム日付と同じ日付の日付フォルダが既に存在するかどうかを判断する（ステップＳ１２）。この例では、２００４年８月６日の日付フォルダが存在するかどうかを判断する。
【００２９】
システム日付と同じ日付の日付フォルダが存在しない場合（ステップＳ１２：Ｎｏ）には、取得したシステム日付の日付フォルダを作成する（ステップＳ１４）。この例では、画像データを格納するフォルダとして、「２００４０８０６」という名前のフォルダを作成する。
【００３０】
このステップＳ１４で日付フォルダを作成した後、或いは、ステップＳ１２でシステム日付と同じ日付の日付フォルダが存在すると判断した場合（ステップＳ１２：Ｙｅｓ）には、このシステム日付と同じ日付の日付フォルダの下に、取り込み単位フォルダを作成する（ステップＳ１６）。すなわち、本実施形態では、この画像格納処理は、ユーザによる画像データの取り込み指示毎に起動されるので、この取り込み単位フォルダも、ユーザによる画像データの取り込み指示を受けて、取り込み作業を行う毎に作成される。ここでは、例えば、日付フォルダ「２００４０８０６」の下に、取り込み単位フォルダ「２００４０８０６．０００１」が作成されたとする。
【００３１】
次に、画像データ処理端末１０は、メモリカード７０内に格納されている画像データのうち、ユーザが指定した画像データを読み込んで、ステップＳ１６で作成した取り込み単位フォルダの下に格納する（ステップＳ１８）。これにより、メモリカード７０からハードディスク２４に、取り込み作業単位に分類された上で、且つ、日付単位に分類された上で、画像データが格納される。ユーザが指定した画像データのすべての転送が完了した時点で、この画像格納処理は終了する。
【００３２】
このような画像格納処理をユーザが日々繰り返すことにより、図２に示すような画像データを格納するためのフォルダが構成されてゆく。
【００３３】
図４は、本実施形態に係る画像データ処理端末１０が実行する画像検索処理を説明するフローチャートを示す図である。この画像検索処理は、ＲＯＭ４０に格納されている画像検索プログラムを、ＣＰＵ２０が読み込んで実行することにより、実現される処理である。また、この画像検索処理は、ユーザが、画像データ処理端末１０のハードディスク２４に格納されている画像データの中から、目的の画像データを探す必要がある場合に、起動される処理である。
【００３４】
図４に示すように、まず、画像データ処理端末１０は、表示画面５４に、表示選択画面Ｗ１０を表示する（ステップＳ５０）。図５は、本実施形態に係る表示選択画面Ｗ１０の一例を示す図である。この図５に示すように、表示選択画面Ｗ１０では、ユーザは、画像データを取り込み日付単位で表示するのか、取り込み作業単位で表示するのかを選択することができる。
【００３５】
次に、図４に示すように、画像データ処理端末１０は、ユーザが日付毎の表示を選択したが、取り込み毎の表示を選択したかを、判断する（ステップＳ５２）。ユーザが、取り込み毎の表示を選択した場合（ステップＳ５２：取り込み毎）には、画像データ処理端末１０は、取り込み単位フォルダ毎に１つの画像データを取得して（ステップＳ５４）、表示画面５４に、取り込み単位フォルダ一覧画面を表示する（ステップＳ５６）。図６は、本実施形態に係る取り込み単位フォルダ一覧画面Ｗ２０の一例を示す図である。この図６に示すように、取り込み単位フォルダ一覧画面Ｗ２０では、画像データを取り込んだ単位で画像データが分類されている。換言すれば、取り込み単位フォルダ一覧画面Ｗ２０には、取り込み単位フォルダの一覧が表示されることとなる。
【００３６】
具体的には、画像データ処理端末１０は、ステップＳ５４で、取り込み単位フォルダのそれぞれの下にある画像データを１つ取得する。取得する画像データは任意であるが、本実施形態では、その取り込み単位フォルダの下にある画像データの名前を昇順に並べた場合における先頭の画像データを取得することとしている。
【００３７】
例えば、取り込み単位フォルダ「２００４０８０６．０００１」の下からは、画像データ「ＤＡＴＡ０００１．ＪＰＧ」を取得する。そして、この画像データを、取り込み単位フォルダ一覧画面Ｗ２０における「２００４年０８月０６日  ０００１」のフォルダのサムネイル画像として表示する。これは、２００４年８月６日の１回目に取り込んだフォルダの下に格納されている画像データの一例として、この画像データを表示していることを意味する。
【００３８】
同様に、取り込み単位フォルダ「２００４０８０６．０００２」の下からは、画像データ「ＤＡＴＡ００１０．ＪＰＧ」を取得する。そして、この画像データを、取り込み単位フォルダ一覧画面Ｗ２０における「２００４年０８月０６日  ０００２」のフォルダのサムネイル画像として表示する。これは、２００４年８月６日の２回目に取り込んだフォルダの下に格納されている画像データの一例として、この画像データを表示していることを意味する。
【００３９】
このような動作を繰り返すことにより、図６に示したような、取り込み単位フォルダ一覧画面Ｗ２０が得られる。
【００４０】
次に、図４に示すように、画像データ処理端末１０は、ユーザがいずれかの取り込み単位フォルダを選択したかどうかを判断する（ステップＳ５８）。すなわち、ユーザは、図６の取り込み単位フォルダ一覧画面Ｗ２０の表示内容に基づいて、取り込み単位フォルダを１つ選択するので、画像データ処理端末１０は、このステップＳ５８の処理を繰り返して（ステップＳ５８：Ｎｏ）、ユーザによる選択入力を待つ。
【００４１】
ユーザが取り込み単位フォルダを選択した場合（ステップＳ５８：Ｙｅｓ）には、ユーザが選択した取り込み単位フォルダの下にある画像データを一覧表示する（ステップＳ６０）。例えば、図６においてユーザが取り込み単位フォルダ「２００４年０８月０６日  ０００１」を選択した場合には、図２に示した画像データ「ＤＡＴＡ０００１．ＪＰＧ」、「ＤＡＴＡ０００２．ＪＰＧ」、「ＤＡＴＡ０００３．ＪＰＧ」…を、一覧形式で表示画面５４に表示する。これにより、ユーザは、この表示された画像の中から、目的の画像を見つけ出すことができる。
【００４２】
これにより、画像検索処理が終了するが、ユーザは、この後、見つけ出した画像データに対して、編集を加えたり、拡大する表示をしたり、画像データを削除したりする操作を行うこととなる。
【００４３】
これに対して、上述したステップＳ５２で、ユーザが、日付毎の表示を選択した場合（ステップＳ５２：日付毎）には、画像データ処理端末１０は、日付フォルダ毎に１つの画像データを取得して（ステップＳ６２）、表示画面５４に、日付フォルダ一覧画面を表示する（ステップＳ６４）。図７は、本実施形態に係る日付フォルダ一覧画面Ｗ３０の一例を示す図である。この図７に示すように、日付フォルダ一覧画面Ｗ３０では、画像データを取り込んだ日付の単位で画像データが分類されている。換言すれば、日付フォルダ一覧画面Ｗ３０には、日付フォルダの一覧が表示されることとなる。
【００４４】
具体的には、画像データ処理端末１０は、ステップＳ６２で、日付フォルダのそれぞれの下にある画像データを１つ取得する。取得する画像データは任意であるが、本実施形態では、その日付フォルダの下にある画像データの名前を昇順に並べた場合における先頭の画像データを取得することとしている。
【００４５】
例えば、日付フォルダ「２００４０８０６」の下からは、画像データ「ＤＡＴＡ０００１．ＪＰＧ」を取得する。そして、この画像データを、日付フォルダ一覧画面Ｗ３０における「２００４年０８月０６日」のフォルダのサムネイル画像として表示する。これは、２００４年８月６日に取り込んだフォルダの下に格納されている画像データの一例として、この画像データを表示していることを意味する。
【００４６】
同様に、日付フォルダ「２００４０８０９」の下からは、画像データ「ＤＡＴＡ００３０．ＪＰＧ」を取得する。そして、この画像データを、日付フォルダ一覧画面Ｗ３０における「２００４年０８月０９日」のフォルダのサムネイル画像として表示する。これは、２００４年８月９日に取り込んだフォルダの下に格納されている画像データの一例として、この画像データを表示していることを意味する。
【００４７】
このような動作を繰り返すことにより、図７に示したような、日付フォルダ一覧画面Ｗ３０が得られる。
【００４８】
次に、図４に示すように、画像データ処理端末１０は、ユーザがいずれかの日付フォルダを選択したかどうかを判断する（ステップＳ６６）。すなわち、ユーザは、図７の日付フォルダ一覧画面Ｗ３０の表示内容に基づいて、日付フォルダを１つ選択するので、画像データ処理端末１０は、このステップＳ６６の処理を繰り返して（ステップＳ６６：Ｎｏ）、ユーザによる選択入力を待つ。
【００４９】
ユーザが日付フォルダを選択した場合（ステップＳ６６：Ｙｅｓ）には、ユーザが選択した日付フォルダの下にある画像データを一覧表示する（ステップＳ６８）。例えば、図７においてユーザが日付フォルダ「２００４年０８月０６日」を選択した場合には、図２に示した画像データ「ＤＡＴＡ０００１．ＪＰＧ」、「ＤＡＴＡ０００２．ＪＰＧ」、「ＤＡＴＡ０００３．ＪＰＧ」…、「ＤＡＴＡ００１０．ＪＰＧ」、「ＤＡＴＡ００１１．ＪＰＧ」、「ＤＡＴＡ００１２．ＪＰＧ」…、「ＤＡＴＡ００２０．ＪＰＧ」、「ＤＡＴＡ００２１．ＪＰＧ」、「ＤＡＴＡ００２２．ＪＰＧ」…を、一覧形式で表示画面５４に表示する。これにより、ユーザは、この表示された画像の中から、目的の画像を見つけ出すことができる。
【００５０】
これにより、画像検索処理が終了するが、ユーザは、この後、見つけ出した画像データに対して、編集を加えたり、拡大する表示をしたり、画像データを削除したりする操作を行うこととなる。
【００５１】
以上のように、本実施形態に係る画像データ処理端末１０によれば、ユーザは何回目の取り込み作業であったかという記憶に基づいて、画像データを検索することができるので、目的の画像データを素早く見つけ出すことができる。また、いつごろ画像データをこの画像データ処理端末１０に取り込んだかという記憶に基づいても、画像データを検索することができる。そして、どちらの手法で目的の画像データを検索するかは、ユーザが表示選択画面Ｗ１０で任意に選択／切り替えることができる。このため、ユーザが画像データを探す際の利便性が向上する。
【００５２】
すなわち、ユーザがいつごろ画像データを画像データ処理端末１０に取り込んだかは覚えているが、何回目の取り込み作業であったかは覚えていないような場合は、日付フォルダ一覧画面Ｗ３０を用いて、目的の画像データを探せばよい。これに対して、ユーザがいつごろ画像データを画像データ処理端末１０に取り込んだかだけでなく、何回目の取り込み作業であったのかも覚えているような場合は、取り込み単位フォルダ一覧画面Ｗ２０を用いて、目的の画像データを探せばよい。しかも、日付フォルダ一覧画面Ｗ３０を用いるのか、或いは、取り込み単位フォルダ一覧画面Ｗ２０を用いるのかは、表示選択画面Ｗ１０で簡単に選択することができる。
【００５３】
なお、本発明は上記実施形態に限定されず種々に変形可能である。例えば、上述した実施形態においては、画像データを画像データ処理端末１０に取り込んだ日付を日付単位情報として用いて、画像データを分類することとしたが、デジタルカメラ等がその画像データ自体を生成した日付を日付単位情報として用いて、画像データを分類するようにしてもよい。
【００５４】
また、上述した実施形態では、画像データ処理端末１０に接続される外部記憶装置の一例として、メモリカード７０を例に説明したが、外部記憶装置としてメモリカード７０以外の記憶装置を用いることもできる。さらに、ＵＳＢケーブルを介して、外部記憶装置をこの画像データ処理端末１０に接続するようにしてもよい。
【００５５】
また、上述した実施形態では、画像格納処理及び画像検索処理をソフトウエア処理により実現する例を説明したが、これら画像格納処理及び画像検索処理をハードウェア処理により実現するようにしてもよい。
【００５６】
また、上述の実施形態で説明した画像格納処理及び画像検索処理については、これら各処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを情報処理端末１０に読み込ませ、実行させることにより、上述した実施形態を実現することができる。
【００５７】
また、情報処理端末１０は、オペレーティングシステムや別のアプリケーションプログラム等の他のプログラムを備える場合がある。この場合、情報処理端末１０の備える他のプログラムを活用するために、その情報処理端末１０が備えるプログラムの中から、上述した実施形態と同等の処理を実現するプログラムを呼び出すような命令を含むプログラムを、記録媒体に記録するようにしてもよい。
【００５８】
さらに、このようなプログラムは、記録媒体の形ではなく、ネットワークを通じて搬送波として頒布することも可能である。ネットワーク上を搬送波の形で伝送されたプログラムは、情報処理端末１０に取り込まれて、このプログラムを実行することにより上述した実施形態を実現することができる。
【００５９】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ情報処理端末１０は、そのプログラムの復号や伸張を行った上で、実行する必要がある。
【図面の簡単な説明】
【００６０】
【図１】本実施形態に係る情報処理端末の内部構成の一例を示す図。
【図２】本実施形態に係るフォルダ構成の一例を示す図。
【図３】本実施形態に係る情報処理端末が実行する画像格納処理の一例を示す図。
【図４】本実施形態に係る情報処理端末が実行する画像検索処理の一例を示す図。
【図５】本実施形態に係る情報処理端末の表示画面に表示される表示選択画面の一例を示す図。
【図６】本実施形態に係る情報処理端末の表示画面に表示される取り込み単位フォルダ一覧画面の一例を示す図。
【図７】本実施形態に係る情報処理端末の表示画面に表示される日付フォルダ一覧画面の一例を示す図。
【符号の説明】
【００６１】
１０  画像データ処理端末
２０  ＣＰＵ
２２  ＲＡＭ
２４  ハードディスク
２６  メモリカードインターフェース
３０  内部バス
４０  ＲＯＭ
５０  専用バス
５２  表示用コントローラ
５４  表示画面
６０  テレビ出力回路
７０  メモリカード
【図１】
2006092160.tif 000003
【図２】
2006092160.tif 000004
【図３】
2006092160.tif 000005
【図４】
2006092160.tif 000006
【図５】
2006092160.tif 000007
【図６】
2006092160.tif 000008
【図７】
2006092160.tif 000009